(57)【要約】【課題】処理を煩雑化することなく、各地方地域の時刻を適切に表示し、時刻を表示する地方地域を簡便に変更することができる。【解決手段】時計システムは、時計と、当該時計と通信する通信機器と、を備える。通信機器は、地方地域を示す表示情報と、当該地方地域の地方時情報とを互いに対応させたリスト情報であって、過去のリスト情報と比較して、地方地域を対応する地方時情報とともに削除する情報、地方地域を対応する地方時情報とともに追加する情報、または、地方地域が同一の場合に対応する地方時情報を変更する情報、のうち少なくとも１つを含む、リスト情報を送信する送信部を備える。時計は、表示部と、リスト情報を受信する受信部と、受信部が受信したリスト情報を記憶する記憶部と、記憶部が記憶するリスト情報に基づき、地方地域の時刻を表示部に表示する制御部と、を備える。【選択図】図１
2018124113.tif 000002
【特許請求の範囲】
【請求項１】
時計と、当該時計と通信する通信機器と、を備える時計システムであって、
前記通信機器は、
地方地域を示す表示情報と、当該地方地域の地方時情報とを互いに対応させたリスト情報であって、過去のリスト情報と比較して、前記地方地域を対応する前記地方時情報とともに削除する情報、前記地方地域を対応する前記地方時情報とともに追加する情報、または、前記地方地域が同一の場合に対応する前記地方時情報を変更する情報、のうち少なくとも１つを含む、リスト情報を送信する送信部
を備え、
前記時計は、
表示部と、
前記リスト情報を受信する受信部と、
前記受信部が受信した前記リスト情報を記憶する記憶部と、
前記記憶部が記憶するリスト情報に基づき、地方地域の時刻を前記表示部に表示する制御部と、
を備えることを特徴とする時計システム。
【請求項２】
前記リスト情報は、ひとつの地方地域において当該地方地域に対応する前記地方時情報の値が同一値に変更される情報を含む
ことを特徴とする請求項１に記載の時計システム。
【請求項３】
前記地方地域の表示情報は、世界の都市名、または、指針の指示位置、のうちいずれかを含む情報により構成される
ことを特徴とする請求項１または請求項２に記載の時計システム。
【請求項４】
前記地方地域の表示情報は、前記通信機器との通信に許容される通信フォーマットに含まれる特殊記号により構成される
ことを特徴とする請求項１から請求項３いずれか１項に記載の時計システム。
【請求項５】
前記リスト情報には、前記地方地域の数が含まれる
ことを特徴とする請求項１から請求項４いずれか１項に記載の時計システム。
【請求項６】
前記リスト情報には、バージョン情報が含まれる
ことを特徴とする請求項１から請求項５いずれか１項に記載の時計システム。
【請求項７】
前記通信機器の前記送信部は、前記リスト情報のバージョン情報が、前記時計が記憶するリスト情報のバージョン情報と異なる場合に、前記リスト情報を送信する
ことを特徴とする請求項６に記載の時計システム。
【請求項８】
前記時計の前記記憶部は、表示に使用するリスト情報を記憶する第１記憶部と第２記憶部とを含み、
前記制御部は、前記受信部が受信した前記リスト情報を前記第２記憶部に書き込み、当該書き込みの完了後に、前記表示部の表示を第２記憶部に記憶された前記リスト情報に基づく表示に切り替える
ことを特徴とする請求項１から請求項７いずれか１項に記載の時計システム。
【請求項９】
前記時計の前記制御部は、前記リスト情報において前記時計の現在位置に最も近い前記地方地域の前記地方時情報に基づいて、現在位置の時刻を表示する
ことを特徴とする請求項１から請求項８いずれか１項に記載の時計システム。
【請求項１０】
地方時情報により地方地域における時刻を表示する時計であって、
表示部と、
地方地域を示す表示情報と、当該地方地域の地方時情報とを互いに対応させたリスト情報であって、過去のリスト情報と比較して、前記地方地域を対応する前記地方時情報とともに削除する情報、前記地方地域を対応する前記地方時情報とともに追加する情報、または、前記地方地域が同一の場合に対応する前記地方時情報を変更する情報、のうち少なくとも１つを含む、リスト情報を受信する受信部と、
前記受信部が受信した前記リスト情報を記憶する記憶部と、
前記記憶部が記憶するリスト情報に基づき、地方地域の時刻を前記表示部に表示する制御部と、
を備えることを特徴とする時計。
【発明の詳細な説明】
【技術分野】
【０００１】
本発明は、時計システムおよび時計に関する。
【背景技術】
【０００２】
従来より、ワールドタイム機能を備えた時計がある（例えば、特許文献１参照）。このような時計は、都市別に時差を記憶しておき、時差から選択された都市の時刻表示を行う。しかしながら、世界各都市の協定世界時からの時差は、政治情勢などにより、度々変更される事がある。このようなことが起こると、時計に予め設定しておいた、都市ごとの時差と合わなくなってしまい、正しく世界各国の都市の時刻を表示することが困難である。
【０００３】
そこで、このような事態に対応するための各種技術が考案されている。例えば、特許文献２には、地方時の設定を行う対象位置に対応する更新情報が取得されている場合には、更新情報を参照して地方時の設定を行い、更新情報が取得されていない場合には、地方時情報を参照して地方時の設定を行う地方時設定手段を備える電子時計が記載されている。
【先行技術文献】
【特許文献】
【０００４】
【特許文献１】特許第３１５０８５２号公報
【特許文献２】特開２０１６−１３３３３７号公報
【発明の概要】
【発明が解決しようとする課題】
【０００５】
しかしながら、特許文献２に記載の技術では、都度、更新情報の有無を選択する必要があり、処理が煩雑になる。また、表示に関するデータを変更しないため、例えば、ある都市の表示をなくしたい、又は追加したい、もしくは、ある時差の時刻表示をなくしたい、又は追加したい、といった要望に対応することができないおそれがある。
【０００６】
そこで、本発明は上述の事情を鑑みてなされたものであり、処理を煩雑化することなく、各地方地域の時刻を適切に表示し、時刻を表示する地方地域を簡便に変更することができる時計システムおよび時計を提供することを目的とする。
【課題を解決するための手段】
【０００７】
本発明は、時計と、当該時計と通信する通信機器と、を備える時計システムであって、前記通信機器は、地方地域を示す表示情報と、当該地方地域の地方時情報とを互いに対応させたリスト情報であって、過去のリスト情報と比較して、前記地方地域を対応する前記地方時情報とともに削除する情報、前記地方地域を対応する前記地方時情報とともに追加する情報、または、前記地方地域が同一の場合に対応する前記地方時情報を変更する情報、のうち少なくとも１つを含む、リスト情報を送信する送信部を備え、前記時計は、表示部と、前記リスト情報を受信する受信部と、前記受信部が受信した前記リスト情報を記憶する記憶部と、前記記憶部が記憶するリスト情報に基づき、地方地域の時刻を前記表示部に表示する制御部と、を備えることを特徴とする時計システムである。
【０００８】
また、本発明の他の態様の時計システムにおいて、前記リスト情報は、ひとつの地方地域において当該地方地域に対応する前記地方時情報の値が同一値に変更される情報を含むことを特徴とする。
【０００９】
また、本発明の他の態様の時計システムにおいて、前記地方地域の表示情報は、世界の都市名、または、指針の指示位置、のうちいずれかを含む情報により構成されることを特徴とする。
【００１０】
また、本発明の他の態様の時計システムにおいて、前記地方地域の表示情報は、前記通信機器との通信に許容される通信フォーマットに含まれる特殊記号により構成されることを特徴とする。
【００１１】
また、本発明の他の態様の時計システムにおいて、前記リスト情報には、前記地方地域の数が含まれることを特徴とする。
【００１２】
また、本発明の他の態様の時計システムにおいて、前記リスト情報には、バージョン情報が含まれることを特徴とする。
【００１３】
また、本発明の他の態様の時計システムにおいて、前記通信機器の前記送信部は、前記リスト情報のバージョン情報が、前記時計が記憶するリスト情報のバージョン情報と異なる場合に、前記リスト情報を送信することを特徴とする。
【００１４】
また、本発明の他の態様の時計システムにおいて、前記時計の前記記憶部は、表示に使用するリスト情報を記憶する第１記憶部と第２記憶部とを含み、前記制御部は、前記受信部が受信した前記リスト情報を前記第２記憶部に書き込み、当該書き込みの完了後に、前記表示部の表示を第２記憶部に記憶された前記リスト情報に基づく表示に切り替えることを特徴とする。
【００１５】
また、本発明の他の態様の時計システムにおいて、前記時計の前記制御部は、前記リスト情報において前記時計の現在位置に最も近い前記地方地域の前記地方時情報に基づいて、現在位置の時刻を表示することを特徴とする。
【００１６】
また、本発明の他の態様は、地方時情報により地方地域における時刻を表示する時計であって、表示部と、地方地域を示す表示情報と、当該地方地域の地方時情報とを互いに対応させたリスト情報であって、過去のリスト情報と比較して、前記地方地域を対応する前記地方時情報とともに削除する情報、前記地方地域を対応する前記地方時情報とともに追加する情報、または、前記地方地域が同一の場合に対応する前記地方時情報を変更する情報、のうち少なくとも１つを含む、リスト情報を受信する受信部と、前記受信部が受信した前記リスト情報を記憶する記憶部と、前記記憶部が記憶するリスト情報に基づき、地方地域の時刻を前記表示部に表示する制御部と、を備えることを特徴とする時計である。
【発明の効果】
【００１７】
本発明によれば、処理を煩雑化することなく、各地方地域の時刻を適切に表示し、時刻を表示する地方地域を簡便に変更することができる。
【図面の簡単な説明】
【００１８】
【図１】本発明の第１の実施形態における時計システムの構成を示した概略図である。
【図２】本発明の第１の実施形態における電子時計が表示する各都市の時刻の表示例を示す模式図である。
【図３】本発明の第１の実施形態における電子時計が記憶する情報の一例を示す概略図である。
【図４】本発明の第１の実施形態におけるヘッダ情報の一例を示す概略図である。
【図５】本発明の第１の実施形態における都市（タイムゾーン）リスト情報の一例を示す概略図である。
【図６】本発明の第１の実施形態における特殊表記対応リストの一例を示す概略図である。
【図７】本発明の第１の実施形態における都市（タイムゾーン）リスト情報の一例を示す概略図である。
【図８】本発明の第１の実施形態における電子時計が実行する通信開始処理の処理手順を示したフローチャートである。
【図９】本発明の第１の実施形態における電子時計が実行する都市（タイムゾーン）リスト更新処理の処理手順を示したフローチャートである。
【図１０】本発明の第１の実施形態における電子時計が実行する通信終了処理の処理手順を示したフローチャートである。
【図１１】本発明の第２の実施形態における時計システムの構成を示した概略図である。
【図１２】本発明の第２の実施形態における電子時計が表示する各都市の時刻の表示例を示すイメージ図である。
【図１３】本発明の第２の実施形態における都市（タイムゾーン）リスト情報の一例を示す概略図である。
【発明を実施するための形態】
【００１９】
以下、本発明の実施形態について、図面を参照しながら説明する。
【００２０】
（第１の実施形態）
まず、本発明の第１の実施形態について説明する。図１は、本実施形態における時計システム１の構成を示した概略図である。図示する例では、時計システム１は、電子時計１００と、電子時計１００と通信可能な携帯電子機器２００（通信機器）とを備える。
【００２１】
電子時計１００は、現在時刻を表示するデジタル時計である。図示する例では、電子時計１００は、制御部１０１と、発振回路１０２と、分周回路１０３と、入力部１０４と、記憶部１０５と、太陽電池１０６と、充放電制御回路１０７と、二次電池１０８と、電池電圧検出部１０９と、スイッチ１１０と、無線通信制御部１１１と、表示部１１２とを備える。
【００２２】
制御部１０１は、ＣＰＵ（Ｃｅｎｔｒａｌ  Ｐｒｏｃｅｓｓｉｎｇ  Ｕｎｉｔ）であり、電子時計１００が備える各部の制御を行う。制御部１０１は、電源制御部１０１１と、時刻カウント部１０１２と、通信制御部１０１３と、情報生成部１０１４と、情報送信部１０１５と、表示制御部１０１６とを備える。
【００２３】
電源制御部１０１１は、無線通信制御部１１１の電源のオンまたはオフを制御する。具体的には、電源制御部１０１１は、無線通信制御部１１１が携帯電子機器２００と通信するときにのみスイッチ１１０をオンにして二次電池１０８から無線通信制御部１１１に電力を供給する。また、電源制御部１０１１は、無線通信制御部１１１が携帯電子機器２００と通信しないときにはスイッチ１１０をオフにして二次電池１０８から無線通信制御部１１１に電力を供給しない。
【００２４】
時刻カウント部１０１２は、内部カウンタを備え、分周回路１０３から入力された計測信号に基づいて現在日時（日時分秒等）を計時し、計時した日時を示す針位置情報を内部カウンタに保持する。通信制御部１０１３は、無線通信制御部１１１における通信を制御する。
【００２５】
情報生成部１０１４は、携帯電子機器２００に送信するデータを生成する。情報送信部１０１５は、情報生成部１０１４が生成したデータを無線通信制御部１１１から携帯電子機器２００に送信する。
【００２６】
表示制御部１０１６は、表示部１１２の表示を制御する。例えば、表示制御部１０１６は、時刻カウント部１０１２が計時する現在時刻を表示部１１２に表示する。
【００２７】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号を制御部１０１に出力する。
【００２８】
入力部１０４は、スイッチを備え、操作入力を受け付ける。なお、入力部１０４は、複数のスイッチから構成されていてもよいし、１つのスイッチから構成されていてもよい。
【００２９】
記憶部１０５は、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等から構成され、種々の情報を記憶する。また、記憶部１０５は、制御部１０１が実行する動作用プログラムを予め記憶している。この動作用プログラムは、制御部１０１の起動時に読み出される。
【００３０】
太陽電池１０６は、光（太陽、照明など）を受光して電気エネルギーに変換する発電部である。太陽電池１０６は、二次電池１０８を充電する。充放電制御回路１０７は、二次電池１０８における充放電を制御する。例えば、充放電制御回路１０７は、太陽電池１０６が発電した電気エネルギーを二次電池１０８に充電する。また、充放電制御回路１０７は、二次電池１０８の電圧が所定の電圧以上となった場合には、放電させる、もしくは充電を止める。二次電池１０８は、電子時計１００が備える各部に、動作するための電力を供給する。
【００３１】
電池電圧検出部１０９は、二次電池１０８の電圧を検出し、検出した電圧値を制御部１０１に出力する。スイッチ１１０は、二次電池１０８から無線通信制御部１１１への電力の供給をオンオフするためのスイッチである。
【００３２】
無線通信制御部１１１は、アンテナ１１１１と、近距離無線通信部１１１２とを備える。アンテナ１１１１は、近距離無線通信部１１１２が通信するためのアンテナである。近距離無線通信部１１１２は、ブルートゥース（登録商標）等の規格による近距離無線通信により他の通信機器（例えば、携帯電子機器２００）と通信する。当該通信は、ブルートゥース（登録商標）に限定されず、種々の通信方式を採用可能であり、また、省電力に対応する通信方式であれば尚好ましい。
【００３３】
表示部１１２は、液晶ディスプレイまたはセグメントディスプレイ等であり、情報を表示する。
【００３４】
また、携帯電子機器２００は、例えば、スマートフォンや、携帯電話機や、タブレット端末等の携帯可能な電子機器である。携帯電子機器２００は、制御部２０１と、入力部２０２と、表示部２０３と、記憶部２０４と、アンテナ２０５と、近距離無線通信部２０６と、位置情報取得部２０７とを備える。
【００３５】
制御部２０１は、ＣＰＵから構成され、携帯電子機器２００が備える各部の制御を行う。入力部２０２は、各種スイッチや表示部２０３の表示画面に設置されたタッチパネル等であり、入力を受け付ける。表示部２０３は、液晶ディスプレイ等であり、情報を表示する。記憶部２０４は、ＲＡＭやＲＯＭ等から構成され、種々の情報を記憶する。
【００３６】
アンテナ２０５は、近距離無線通信部２０６が通信するためのアンテナである。近距離無線通信部２０６は、ブルートゥース等の規格による近距離無線通信により他の通信機器（例えば、電子時計１００）と通信する。位置情報取得部２０７は、ＧＰＳ（Ｇｌｏｂａｌ  Ｐｏｓｉｔｉｏｎｉｎｇ  Ｓｙｓｔｅｍ）等により、現在位置の時差情報を取得し、現在位置における時差情報を算出する。なお、現在位置の時差情報を取得する方法は、これらの衛星から得られる情報に限定されない。
【００３７】
次に、電子時計１００における表示について説明する。電子時計１００は、各都市の現在時刻を表示するワールドタイム機能を備える。電子時計１００は、入力部１０４が所定の操作入力を受け付けると、所定の都市の現在時刻を表示する。また、電子時計１００は、所定の操作入力を受け付ける毎に、現在時刻を表示する都市を切り替える。
【００３８】
図２は、本実施形態における電子時計１００が表示する各都市の時刻の表示例を示す模式図である。図示するように、電子時計１００は、現在時刻を表示している都市の都市名と、当該都市の現在時刻と、標準時としてのＵＴＣ（Ｃｏｏｒｄｉｎａｔｅｄ  Ｕｎｉｖｅｒｓａｌ  Ｔｉｍｅ；協定世界時）からの時差とを表示する。なお、標準時はＵＴＣに限らずグリニッジ標準時（ＧＭＴ）等の標準となる時刻であればよい。
【００３９】
図２（Ａ）は、都市「東京」の現在時刻の表示例である。図示する例では、電子時計１００は、東京を示す「ＴＹＯ」Ａ１１と、東京の現在時刻「１０：０８」Ａ１２と、東京のＵＴＣからの時差「９：００」Ａ１３とを表示している。
【００４０】
図２（Ｂ）は、現在位置の現在時刻の表示例である。図示する例では、電子時計１００は、現在位置を示す「ＬＯＣＡＬ」Ａ２１と、現在位置の現在時刻「１０：０８」Ａ２２と、現在位置のＵＴＣからの時差「９：００」Ａ２３とを表示している。
【００４１】
図２（Ｃ）は、都市「アデレード」の現在時刻の表示例である。図示する例では、電子時計１００は、アデレードを示す「ＡＤＬ」Ａ３１と、アデレードの現在時刻「１０：３８」Ａ３２と、アデレードのＵＴＣからの時差「９：３０」Ａ３３とを表示している。
【００４２】
電子時計１００は、記憶部１０５の記憶領域に記憶されている情報に基づいて、各都市の現在時刻を表示する。図３は、本実施形態における電子時計１００が記憶する情報の一例を示す概略図である。図示するように、記憶部１０５の記憶領域には、使用するリストメモリ番号を記憶する領域と、ヘッダ情報を記憶する領域と、都市（タイムゾーン）リスト情報を記憶するためのメモリ番号１の領域と、都市（タイムゾーン）リスト情報を記憶するためのメモリ番号２の領域とがある。
【００４３】
使用するリストメモリ番号は、表示に使用する都市（タイムゾーン）リスト情報を記憶しているメモリ番号を示し、メモリ番号１又はメモリ番号２のうちいずれかを示す。
【００４４】
ヘッダ情報は、都市（タイムゾーン）リスト情報に関するヘッダ情報である。図４は、本実施形態におけるヘッダ情報の一例を示す概略図である。図示するように、ヘッダ情報は、ＵＴＣ都市Ｎｏと、登録都市数と、リストバージョンとを含む。ＵＴＣ都市Ｎｏは、都市を一意に特定する番号である。登録都市数は、都市（タイムゾーン）リスト情報にある都市の数である。リストバージョンは、都市（タイムゾーン）リスト情報のバージョン情報である。
【００４５】
都市（タイムゾーン）リスト情報は、都市の表示情報と、当該都市のＵＴＣからの時差（地方時情報）とを互いに対応付けるリスト情報である。図５は、本実施形態における都市（タイムゾーン）リスト情報の一例を示す概略図である。図示するように、都市（タイムゾーン）リスト情報は、Ｎｏと、表示情報と、ＵＴＣからの時差との各項目を有する。Ｎｏは、世界の都市を一意に特定する番号である。表示情報は、世界の都市名を示す文字列である。ＵＴＣからの時差は、ＵＴＣからの時差を秒単位で示したものである。
【００４６】
図示する例では、Ｎｏ１に対応する表示情報はＨＮＬであり、ＵＴＣからの時差は−６００分である。また、Ｎｏ２に対応する表示情報は＄０１であり、ＵＴＣからの時差は−５４０分である。また、Ｎｏ３に対応する表示情報はＡＮＣであり、ＵＴＣからの時差は−５４０分である。また、Ｎｏ４７に対応する表示情報は＄０９であり、ＵＴＣからの時差は＋６００分である。また、Ｎｏ４８に対応する表示情報はＧＵＭであり、ＵＴＣからの時差は＋６００分である。また、Ｎｏ４９に対応する表示情報はＳＹＤであり、ＵＴＣからの時差は＋６００分である。また、Ｎｏ５０に対応する表示情報はＮＯＵであり、ＵＴＣからの時差は＋６６０分である。
【００４７】
Ｎｏ２やＮｏ４７に示されるように、表示情報は、携帯電子機器２００との通信に許容される通信フォーマットに含まれる特殊記号により構成される特殊表記であってもよい。都市名が携帯電子機器２００との通信フォーマットで許容されていない場合や電子時計１００により表示できない場合などに、表示情報に特殊表記が設定される。
【００４８】
図６は、本実施形態における特殊表記対応リストの一例を示す概略図である。図示するように、特殊表記対応リストは、特殊記号を含む特殊表記と、当該特殊表記が示す都市とを互いに対応付ける。図示する例では、＄０１に対応する都市はＭｔ．Ｄｅｎ（デナリ山）であり、＄０９に対応する都市はＭｔ．Ｋｏｓ（コジオスコ山）である。なお、特殊表記対応リストでは、特殊表記と、文字列の代わりに表示する画像とを対応付けてもよい。
【００４９】
次に、本実施形態における時計システム１の動作について説明する。世界各都市のＵＴＣからの時差は、政治情勢などにより、度々変更される事がある。また、電子時計１００に表示する都市を選択したい（例えば、ある都市の表示をなくしたい、或いは、ある都市の表示を追加したい等）という要望がある。
【００５０】
そこで、本実施形態における時計システム１では、電子時計１００に表示する都市のみを含む最新の都市（タイムゾーン）リスト情報を携帯電子機器２００から電子時計１００に送信して、電子時計１００が記憶する都市（タイムゾーン）リスト情報を更新する。
【００５１】
ここで、図７に、更新前の都市（タイムゾーン）リスト情報を例示する。図７に示す過去のリスト情報から図５に示すリスト情報に更新される場合には、次の内容が変更されることになる。
【００５２】
まず、Ｎｏ１のリスト情報は、都市「ＣｉｔｙＡ」時差「−６１０」から都市「ＨＮＬ」時差「−６００」に更新される。Ｎｏ３のリスト情報は、表示情報は「ＡＮＣ」と変わらないが、時差情報は、時差「−５３０」から時差「−５４０」に更新される。Ｎｏ４８のリスト情報は、時差情報は「＋６００」と変わらないが、表示情報は、都市「ＣｉｔｙＢ」から都市「ＧＵＭ」に更新される。これらは、リスト情報における地方地域と地方時情報とが変更された場合である。すなわち、図５に示すリスト情報のＮｏ１，Ｎｏ３，Ｎｏ４８の情報は、図７に示す過去のリスト情報と比較して、地方地域又は地方時情報を変更する情報である。
【００５３】
また、Ｎｏ４９のリスト情報は、都市「ＮＯＵ」時差「＋６６０」から都市「ＳＹＤ」時差「＋６００」に更新される。この場合、都市「ＳＹＤ」の表示情報と時差情報とが一緒に追加されたことになり、リスト情報において地方情報が対応する地方時情報とともに追加された場合となる。すなわち、図５に示すリスト情報のＮｏ４９の情報は、図７に示す過去のリスト情報と比較して、地方地域を対応する地方時情報とともに追加する情報である。なお、この場合、Ｎｏ４９のリスト番号は同一なことから、この場合をリスト情報における地方地域と地方時情報とが変更された場合に含めても構わない。なお、図示しないが、新たな地方地域と地方時情報とが、新たなリスト番号Ｎｏ５２として追加されても構わない。
【００５４】
また、Ｎｏ５０のリスト情報は、都市「ＣｉｔｙＣ」時差「＋６７０」から都市「ＮＯＵ」時差「＋６６０」に更新される。Ｎｏ５１のリスト情報は、都市「ＣｉｔｙＤ」時差「＋６７０」からデータが無い状態に更新される。これらは、地方地域を対応する地方時情報とともに削除する場合である。すなわち、図５に示すリスト情報のＮｏ５０，Ｎｏ５１の情報は、図７に示す過去のリスト情報と比較して、地方地域を対応する地方時情報とともに削除する情報である。なお、Ｎｏ５０のリスト番号の場合、リスト番号が同じ状態で地方地域及び地方時情報が入れ替わっていることから、リスト情報における地方地域と地方時情報とが変更された場合に含めても構わない。
【００５５】
また、Ｎｏ２のリスト情報は、都市「＄０１」時差「―５４０」から都市「＄０１」時差「―５４０」に更新される。この場合は、ひとつの地方地域において当該地方地域に対応する地方時情報の値が同一値に変更される場合である。すなわち、図５に示すリスト情報のＮｏ２の情報は、図７に示す過去のリスト情報と比較して、ひとつの地方地域において当該地方地域に対応する地方時情報の値が同一値に変更される情報である。
【００５６】
例えば、携帯電子機器２００の制御部２０１は、近距離無線通信部２０６を介して、地方地域（都市）を示す表示情報と、当該地方地域の地方時情報（ＵＴＣからの時差）とを互いに対応させたリスト情報であって、過去のリスト情報と比較して、地方地域を対応する地方時情報とともに削除する情報、地方地域を対応する地方時情報とともに追加する情報、または、地方地域が同一の場合に対応する地方時情報を変更する情報、のうち少なくとも１つを含む、都市（タイムゾーン）リスト情報を送信する。都市（タイムゾーン）リスト情報は、ひとつの地方地域において当該地方地域に対応する地方時情報の値が同一値に変更される情報を含む。ただし、制御部２０１は、当該都市（タイムゾーン）リスト情報のヘッダ情報のリストバージョン（バージョン情報）が、電子時計１００が記憶するヘッダ情報のリストバージョンと異なる場合に、都市（タイムゾーン）リスト情報を送信する。
【００５７】
電子時計１００の制御部１０１は、無線通信制御部１１１が都市（タイムゾーン）リスト情報を受信すると、受信した都市（タイムゾーン）リスト情報を記憶部１０５に書き込む。ここで、制御部１０１は、使用するリストメモリ番号（現在表示に使用しているメモリ番号）と異なるメモリ番号の記憶領域に、受信した都市（タイムゾーン）リスト情報を書き込む。その後、制御部１０１は、当該書き込みの完了後に、使用するリストメモリ番号を書き込みの完了したメモリ番号に書き換え、表示に使用する都市（タイムゾーン）リスト情報を切り替える。つまり、制御部１０１は、使用するリストメモリ番号が示すメモリ番号に記憶された都市（タイムゾーン）リスト情報に基づいて、各都市の現在時刻を表示部１１２に表示する。すなわち、制御部１０１は、表示部１１２の表示を、携帯電子機器２００から受信した最新の都市（タイムゾーン）リスト情報に基づく表示に切り替える。
【００５８】
例えば、制御部１０１は、所定の都市の表示情報と、当該都市の現在時刻と、当該都市のＵＴＣからの時差とを表示部１１２に表示する。このとき、制御部１０１は、ＵＴＣからの時差に基づいて、当該都市の現在時刻を算出する。このように、携帯電子機器２００から電子時計１００に最新の都市（タイムゾーン）リスト情報を送信して更新することにより、各都市のＵＴＣからの時差が変更された場合であっても、電子時計１００の処理を煩雑化することなく、各都市の現在時刻を適切に表示することができる。
【００５９】
また、制御部１０１は、入力部１０４が受け付けた所定の操作入力に応じて、都市（タイムゾーン）リスト情報に基づいて現在時刻を表示する都市を切り替える。すなわち、制御部１０１は、都市（タイムゾーン）リスト情報にある都市のみの現在時刻を表示する。つまり、制御部１０１は、都市（タイムゾーン）リスト情報にない都市の現在時刻は表示しない。よって、携帯電子機器２００において、表示したい都市のみを含む都市（タイムゾーン）リスト情報を生成することによって、電子時計１００に現在時刻を表示する都市の削除や追加をすることができる。
【００６０】
なお、制御部１０１は、都市（タイムゾーン）リスト情報の表示情報が特殊表記である場合には、特殊表記対応リストにおいて特殊表記に対応する文字列或いは画像を、都市名として表示部１１２に表示する。
【００６１】
また、制御部１０１は、都市（タイムゾーン）リスト情報において、現在位置の時差を表示する場合には、時差順に並んでいるリストの中で現在位置の時差が該当する場所に表示する。例えば、時差リストにＴＹＯ：ＵＴＣ＋５４０、ＡＤＬ：ＵＴＣ＋５７０と並んでおり、現在位置の時差がＬＯＣＡＬ：ＵＴＣ＋５４０の場合、ワールドタイムの表示切替を行うと、ＴＹＯとＡＤＬの間にＬＯＣＡＬの表示を行う。
【００６２】
図８は、本実施形態における電子時計１００が実行する通信開始処理の処理手順を示したフローチャートである。電子時計１００は、携帯電子機器２００との通信を開始する際に、本図に示す処理を実行する。
【００６３】
（ステップＳ１０１）制御部１０１は、無線通信制御部１１１による通信を開始するための所定のボタン操作を入力部１０４が受け付けたか否かを判定する。操作を受け付けたと制御部１０１が判定した場合には、ステップＳ１０２の処理に進む。また、操作を受け付けていないと制御部１０１が判定した場合には、ステップＳ１０１の処理を再度実行する。
【００６４】
（ステップＳ１０２）制御部１０１は、スイッチ１１０をオンにして無線通信制御部１１１の電源をオンにする。その後、ステップＳ１０３の処理に進む。
（ステップＳ１０３）制御部１０１は、無線通信制御部１１１の起動が完了したか否かを判定する。起動が完了したと制御部１０１が判定した場合には、ステップＳ１０４の処理に進む。また、起動が完了していないと制御部１０１が判定した場合には、ステップＳ１０３の処理を再度実行する。
【００６５】
（ステップＳ１０４）制御部１０１は、無線通信制御部１１１へ通信開始を設定する。その後、ステップＳ１０５の処理に進む。
（ステップＳ１０５）制御部１０１は、携帯電子機器２００との接続が確立されたか否かを判定する。接続が確立されたと制御部１０１が判定した場合には、ステップＳ１０６の処理に進む。また、接続が確立されていないと制御部１０１が判定した場合には、ステップＳ１０５の処理を再度実行する。
【００６６】
（ステップＳ１０６）制御部１０１は、無線通信制御部１１１を介して、通常の通信開始準備完了を携帯電子機器２００に送信する。その後、処理を終了する。
【００６７】
図９は、本実施形態における電子時計１００が実行する都市（タイムゾーン）リスト更新処理の処理手順を示したフローチャートである。電子時計１００は、通信開始処理の終了後に、本図に示す処理を実行する。
【００６８】
（ステップＳ２０１）制御部１０１は、携帯電子機器２００からリストバージョン読み出しコマンドを受信したか否かを判定する。リストバージョン読み出しコマンドを受信したと制御部１０１が判定した場合には、ステップＳ２０２の処理に進む。また、リストバージョン読み出しコマンドを受信していないと制御部１０１が判定した場合には、ステップＳ２０１の処理を再度実行する。
【００６９】
（ステップＳ２０２）制御部１０１は、記憶部１０５が記憶するヘッダ情報のリストバージョンを読み出し、読み出したリストバージョンを携帯電子機器２００に送信する。その後、ステップＳ２０３の処理に進む。
【００７０】
（ステップＳ２０３）制御部１０１は、携帯電子機器２００からリスト更新コマンドを受信したか否かを判定する。リスト更新コマンドを受信したと制御部１０１が判定した場合には、ステップＳ２０４の処理に進む。また、リスト更新コマンドを受信していないと制御部１０１が判定した場合には、ステップＳ２０３の処理を再度実行する。
【００７１】
（ステップＳ２０４）制御部１０１は、都市（タイムゾーン）リスト情報を受信する。その後、ステップＳ２０５の処理に進む。
【００７２】
（ステップＳ２０５）制御部１０１は、現在使用しているリストメモリ番号を記憶部１０５から読み出す。その後、ステップＳ２０６の処理に進む。
【００７３】
（ステップＳ２０６）制御部１０１は、現在使用していないメモリ番号の記憶領域に、受信した都市（タイムゾーン）リスト情報を書き込む。その後、ステップＳ２０７の処理に進む。
（ステップＳ２０７）制御部１０１は、ステップＳ２０６の書き込みを終了する。その後、ステップＳ２０８の処理に進む。
【００７４】
（ステップＳ２０８）制御部１０１は、使用するリストメモリ番号を、ステップＳ２０６において都市（タイムゾーン）リスト情報を書き込んだ記憶領域のメモリ番号に書き換えて、使用するリストメモリ番号を切り替える。その後、処理を終了する。
【００７５】
図１０は、本実施形態における電子時計１００が実行する通信終了処理の処理手順を示したフローチャートである。電子時計１００は、携帯電子機器２００との通信を終了する際に、本図に示す処理を実行する。
【００７６】
（ステップＳ３０１）制御部１０１は、携帯電子機器２００から切断要求を受信したか否かを判定する。切断要求を受信したと制御部１０１が判定した場合には、ステップＳ３０２の処理に進む。また、切断要求を受信していないと制御部１０１が判定した場合には、ステップＳ３０１の処理を再度実行する。
【００７７】
（ステップＳ３０２）制御部１０１は、スイッチ１１０をオフにして、無線通信制御部１１１の電源をオフにする。その後、処理を終了する。
【００７８】
上述したとおり、本実施形態における時計システム１は、電子時計１００と、電子時計１００と通信する携帯電子機器２００とを備える。携帯電子機器２００は、地方地域を示す表示情報と、当該地方地域の地方時情報とを互いに対応させたリスト情報であって、過去のリスト情報と比較して、地方地域を対応する地方時情報とともに削除する情報、地方地域を対応する地方時情報とともに追加する情報、または、地方地域が同一の場合に対応する地方時情報を変更する情報、のうち少なくとも１つを含む、リスト情報を送信する制御部２０１を備える。電子時計１００は、表示部１１２と、リスト情報を受信する無線通信制御部１１１と、受信したリスト情報を記憶する記憶部１０５と、記憶部１０５が記憶するリスト情報に基づき、地方地域の時刻を表示部１１２に表示する制御部１０１と、を備える。
【００７９】
これにより、処理を煩雑化することなく、各地方地域の時刻を適切に表示し、かつ、時刻を表示する地方地域を簡便に変更することができる。
【００８０】
また、リスト情報は、ひとつの地方地域において当該地方地域に対応する地方時情報の値が同一値に変更される情報を含む。すなわち、リスト情報は、全ての情報がそのまま全部書き換わる。よって、電子時計１００における処理が煩雑になることを防ぐことができる。
【００８１】
また、地方地域の表示情報は、世界の都市名を含む情報により構成される。これにより、電子時計１００は、どの都市の現在時刻を表示しているかを示すことができる。
【００８２】
また、地方地域の表示情報は、携帯電子機器２００との通信に許容される通信フォーマットに含まれる特殊記号により構成されていてもよい。これにより、都市名が通信フォーマットで許容されていない場合や、文字列で表せないデータを示す場合であっても、対応する文字列や画像に置き換えることで、現在時刻を表示している地方地域を示すことができる。
【００８３】
また、リスト情報には、地方地域の数が含まれる。これにより、電子時計１００は、リスト情報にある地方地域の数を知ることができる。
【００８４】
また、リスト情報には、バージョン情報が含まれる。これにより、リスト情報をバージョン情報により管理することができる。
【００８５】
また、携帯電子機器２００の制御部２０１は、リスト情報のバージョン情報が、電子時計１００が記憶するリスト情報のバージョン情報と異なる場合に、リスト情報を送信する。これにより、リスト情報が更新されたときにのみ、電子時計１００が記憶するリスト情報を書き換えることができる。
【００８６】
電子時計１００の記憶部１０５は、表示に使用するリスト情報を記憶する第１記憶部と第２記憶部とを含み、制御部１０１は、受信したリスト情報を第２記憶部に書き込み、当該書き込みの完了後に、表示部１１２の表示を第２記憶部に記憶されたリスト情報に基づく表示に切り替える。これにより、リスト情報を更新する際に、古いリスト情報が破壊されることを防ぐことができるため、新しいリスト情報の書き込みが完了する前に通信が途切れて書き込みが失敗した場合であっても、復旧することができる。
【００８７】
また、電子時計１００の制御部１０１は、リスト情報において電子時計１００の現在位置に最も近い地方地域の地方時情報に基づいて、現在位置の時刻を表示する。これにより、電子時計１００は、時差順に並んだリスト情報の中で、現在位置の時差表示を、時差順を守ったまま表示することができる。よって、都市選択する際に違和感のない都市選択が可能となる。
【００８８】
（第２の実施形態）
次に、本発明の第２の実施形態について説明する。第１の実施形態では、電子時計がデジタル時計である場合について説明したが、本実施形態における電子時計はアナログ時計である。
【００８９】
図１１は、本実施形態における時計システム１ａの構成を示した概略図である。図示する例では、時計システム１ａは、電子時計１００ａと、電子時計１００ａと通信可能な携帯電子機器２００（通信機器）とを備える。
【００９０】
電子時計１００ａは、秒針１２０Ａ、分針１２０Ｂ、及び時針１２０Ｃにより、現在時刻を示すアナログ時計である。また、電子時計１００ａは、時分を示す小時計１２０Ｄを備える。また、電子時計１００ａは、現在の動作モードを示す動作モード指定部１２０Ｆを備える。なお、電子時計１００ａは、各都市の現在時刻を示すワールドタイムモード（ＴＩＭＥ１、ＴＩＭＥ２、ＴＩＭＥ３）と、タイマーモード（ＴＭＲ）と、アラームモード（ＡＬＭ）と、クロノグラフモード（ＣＨＲ）との４つの動作モードを有する。
【００９１】
図示する例では、電子時計１００ａは、制御部１０１ａと、発振回路１０２と、分周回路１０３と、入力部１０４と、記憶部１０５と、太陽電池１０６と、充放電制御回路１０７と、二次電池１０８と、電池電圧検出部１０９と、スイッチ１１０と、無線通信制御部１１１と、秒針１２０Ａと、分針１２０Ｂと、時針１２０Ｃと、小時計１２０Ｄと、動作モード指定部１２０Ｆと、輪列機構１２１Ａと、輪列機構１２１Ｂと、輪列機構１２１Ｃと、輪列機構１２１Ｄと、輪列機構１２１Ｆと、ステッピングモータ１２２Ａと、ステッピングモータ１２２Ｂと、ステッピングモータ１２２Ｃと、ステッピングモータ１２２Ｄと、ステッピングモータ１２２Ｆとを備える。
【００９２】
以下、秒針１２０Ａと、分針１２０Ｂと、時針１２０Ｃと、小時計１２０Ｄの指針と、動作モード指定部１２０Ｆの指針とを区別しない場合には、指針１２０と称する。また、輪列機構１２１Ａと、輪列機構１２１Ｂと、輪列機構１２１Ｃと、輪列機構１２１Ｄと、輪列機構１２１Ｆとを区別しない場合には、輪列機構１２１と称する。また、ステッピングモータ１２２Ａと、ステッピングモータ１２２Ｂと、ステッピングモータ１２２Ｃと、ステッピングモータ１２２Ｄと、ステッピングモータ１２２Ｆとを区別しない場合には、ステッピングモータ１２２と称する。
【００９３】
また、第１の実施形態における電子時計１００と同一の構成には、同一符号を付し、その説明を省略する。
【００９４】
制御部１０１ａは、第１の実施形態における制御部１０１の表示制御部１０１６に代えて、指針制御部１０１７を備える。指針制御部１０１７は、指針１２０の位置を制御する。例えば、指針制御部１０１７は、ステッピングモータ１２２に駆動パルスを出力してステッピングモータ１２２を駆動し、指針１２０を移動させる。制御部１０１ａの他の構成は、第１の実施形態における制御部１０１の構成と同一であるため、説明を省略する。
【００９５】
ステッピングモータ１２２Ａは、輪列機構１２１Ａを回転させることにより秒針１２０Ａを移動させるステッピングモータである。ステッピングモータ１２２Ｂは、輪列機構１２１Ｂを回転させることにより分針１２０Ｂを移動させるステッピングモータである。ステッピングモータ１２２Ｃは、輪列機構１２１Ｃを回転させることにより時針１２０Ｃを移動させるステッピングモータである。ステッピングモータ１２２Ｄは、輪列機構１２１Ｄを回転させることにより小時計１２０Ｄの指針を移動させるステッピングモータである。ステッピングモータ１２２Ｆは、輪列機構１２１Ｆを回転させることにより動作モード指定部１２０Ｆの指針を移動させるステッピングモータである。
【００９６】
輪列機構１２１Ａは、秒針１２０Ａを回す輪列機構である。輪列機構１２１Ｂは、分針１２０Ｂを回す輪列機構である。輪列機構１２１Ｃは、時針１２０Ｃを回す輪列機構である。輪列機構１２１Ｄは、小時計１２０Ｄの指針を回す輪列機構である。輪列機構１２１Ｆは、動作モード指定部１２０Ｆの指針を回す輪列機構である。
【００９７】
本実施形態における携帯電子機器２００の構成は、第１の実施形態と同様であるため、その説明を省略する。
【００９８】
次に、電子時計１００ａにおける表示について説明する。電子時計１００ａは、各都市（地方地域）の現在時刻を表示するワールドタイム機能を備える。電子時計１００ａは、入力部１０４が所定の操作入力を受け付けると、所定の都市の現在時刻を表示する。また、電子時計１００ａは、所定の操作入力を受け付ける毎に、現在時刻を表示する都市を切り替える。
【００９９】
図１２は、本実施形態における電子時計１００ａが表示する各都市の時刻の表示例を示すイメージ図である。図示するように、電子時計１００ａのベゼル１３０には、各都市の都市名が印刷されている。電子時計１００ａは、秒針１２０Ａにより都市を指示し、分針１２０Ｂ及び時針１２０Ｃにより当該都市の現在時刻を示す。
【０１００】
図示する例では、秒針１２０Ａはベゼル１３０にＮＹＣ（ニューヨーク）が印刷された５０の位置を指示しており、分針１２０Ｂ及び時針１２０Ｃは８：１９を示している。よって、本例では、ニューヨークの現在時刻８：１９を示している。また、動作モード指定部１２０Ｆは、ワールドタイムモードであることを表すＴＩＭＥ１を示している。
【０１０１】
次に、電子時計１００が表示に用いる都市（タイムゾーン）リスト情報について説明する。図１３は、本実施形態における都市（タイムゾーン）リスト情報の一例を示す概略図である。図示するように、都市（タイムゾーン）リスト情報は、Ｎｏと、表示情報と、ＵＴＣからの時差との各項目を有する。Ｎｏは、世界の都市を一意に特定する番号である。表示情報は、秒針１２０Ａの指示位置である。ＵＴＣからの時差は、ＵＴＣからの時差を秒単位で示したものである。
【０１０２】
図示する例では、Ｎｏ１に対応する表示情報は４０であり、ＵＴＣからの時差は−６００である。また、Ｎｏ２に対応する表示情報は４２であり、ＵＴＣからの時差は−５４０である。また、Ｎｏ４９に対応する表示情報は２０であり、ＵＴＣからの時差は＋６００である。また、Ｎｏ５０に対応する表示情報は２２であり、ＵＴＣからの時差は＋６６０である。
【０１０３】
電子時計１００の制御部１０１は、動作モードがワールドタイムモードになると、都市（タイムゾーン）リスト情報の表示情報に基づいて、秒針１２０Ａを指示位置まで移動させて、都市を示す。また、制御部１０１は、ＵＴＣからの時差に基づいて、当該都市の現在時刻を算出し、算出した現在時刻を指示するように分針１２０Ｂ及び時針１２０Ｃを移動させる。
【０１０４】
時計システム１ａにおける他の動作は、第１の実施形態と同様であるため、その説明を省略する。
【０１０５】
上述したとおり、本実施形態における時計システム１ａは、電子時計１００ａと、電子時計１００ａと通信する携帯電子機器２００とを備える。携帯電子機器２００は、地方地域を示す表示情報と、当該地方地域の地方時情報とを互いに対応させたリスト情報であって、過去のリスト情報と比較して、地方地域を対応する地方時情報とともに削除する情報、地方地域を対応する地方時情報とともに追加する情報、または、地方地域が同一の場合に対応する地方時情報を変更する情報、のうち少なくとも１つを含む、リスト情報を送信する制御部２０１を備える。電子時計１００ａは、リスト情報を受信する無線通信制御部１１１と、受信したリスト情報を記憶する記憶部１０５と、記憶部１０５が記憶するリスト情報に基づき、地方地域の時刻を指針１２０により示す制御部１０１ａと、を備える。また、地方地域の表示情報は、指針１２０の指示位置を含む情報により構成される。これにより、アナログ時計においても、処理を煩雑化することなく、各地方地域の時刻を適切に表示し、かつ、時刻を表示する地方地域を簡便に変更することができる。
【０１０６】
なお、上述した実施形態における電子時計１００，１００ａまたは携帯電子機器２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０８】
以上、本発明の実施形態について説明したが、本発明は、上記実施形態に限定されるものではなく、本発明の趣旨を逸脱しない範囲において種々の変更を加えることが可能である。
【０１０９】
例えば、上述した実施形態では、各指針１２０がそれぞれ対応する個々のステッピングモータ１２２の駆動により独立して移動する場合について説明したが、これに限らず、複数の指針１２０が１つのステッピングモータ１２２により連動して動くものであってもよい。例えば、秒針１２０Ａは独立して移動し、分針１２０Ｂ及び時針１２０Ｃは連動して移動するものであってもよい。或いは、時針１２０Ｃは独立して移動し、分針１２０Ｂ及び秒針１２０Ａは連動して移動するものであってもよい。
【符号の説明】
【０１１０】
１，１ａ・・・時計システム、１００，１００ａ・・・電子時計、１０１，１０１ａ・・・制御部、１０２・・・発振回路、１０３・・・分周回路、１０４・・・入力部、１０５・・・記憶部、１０６・・・太陽電池、１０７・・・充放電制御回路、１０８・・・二次電池、１０９・・・電池電圧検出部、１１０・・・スイッチ、１１１・・・無線通信制御部、１１２・・・表示部、１２０・・・指針、１２１・・・輪列機構、１２２・・・ステッピングモータ、２００・・携帯電子機器、２０１・・・制御部、２０２・・・入力部、２０３・・・表示部、２０４・・・記憶部、２０５・・・アンテナ、２０６・・・近距離無線通信部、２０７・・・位置情報取得部、１０１１・・・電源制御部、１０１２・・・時刻カウント部、１０１３・・・通信制御部、１０１４・・・情報生成部、１０１５・・・情報送信部、１０１６・・・表示制御部、１０１７・・・指針制御部、１１１１・・・アンテナ、１１１２・・・近距離無線通信部
【図１】
2018124113.tif 000003
【図２】
2018124113.tif 000004
【図３】
2018124113.tif 000005
【図４】
2018124113.tif 000006
【図５】
2018124113.tif 000007
【図６】
2018124113.tif 000008
【図７】
2018124113.tif 000009
【図８】
2018124113.tif 000010
【図９】
2018124113.tif 000011
【図１０】
2018124113.tif 000012
【図１１】
2018124113.tif 000013
【図１２】
2018124113.tif 000014
【図１３】
2018124113.tif 000015